【手続補正書】
【提出日】平成29年12月7日(2017.12.7)
【手続補正１】
【補正対象書類名】特許請求の範囲
【補正対象項目名】全文
【補正方法】変更
【補正の内容】
【特許請求の範囲】
【請求項１】
課金装置を接続可能な印刷装置において、
印刷ジョブのリストを表示する表示手段と、
前記表示手段に表示されたリストから選択された印刷ジョブの印刷開始が指示されたことに基づいて、画像をシートに印刷する印刷手段と、
前記印刷装置に接続されている前記課金装置に課金を実行させる課金モードを有効にするか否かを設定する設定手段と、
前記設定手段により前記課金モードを有効にすることが設定されている場合、前記印刷手段によって実行される印刷処理に対する課金を前記課金装置に実行させる課金処理手段と、
前記設定手段により前記課金モードを有効にすることが設定されており、かつ前記印刷装置に管理者操作モードが設定されている場合には、前記表示手段により表示された前記リストから印刷ジョブを削除することを許可し、前記設定手段により前記課金モードを有効にすることが設定されており、かつ前記管理者操作モードが設定されていない場合は、前記表示手段により表示された前記リストから印刷ジョブを削除することを禁止し、前記設定手段により前記課金モードを有効にすることが設定されていない場合には、前記表示手段により表示された前記リストから印刷ジョブを削除することを許可する削除制御手段と、
を有することを特徴とする印刷装置。
【請求項２】
前記表示手段は、前記印刷ジョブのリストを表示すると共に、印刷ジョブをキャンセルするためのキャンセルボタンを表示し、
前記削除制御手段は、前記キャンセルボタンを押下不可にすることで、前記リストから印刷ジョブを削除することを禁止することを特徴とする請求項１に記載の印刷装置。
【請求項３】
前記表示手段は、前記印刷ジョブのリストを表示すると共に、印刷ジョブの印刷の開始を指示するための印刷ボタンを表示し、前記印刷開始ボタンの押下によって前記リストから選択された印刷ジョブの印刷が印刷手段により実行されることを特徴とする請求項１に記載の印刷装置。
【請求項４】
前記削除制御手段は、さらに、前記表示手段により表示されたリストから選択された印刷ジョブの種別に基づいて、印刷ジョブの削除の許可又は禁止を制御することを特徴とする請求項１乃至３のいずれか１項に記載の印刷装置。
【請求項５】
印刷ジョブのデータを記憶する記憶手段を更に有し、
前記表示手段は、前記記憶手段に記憶されているデータに対応する印刷ジョブのリストを表示することを特徴とする請求項１乃至３のいずれか１項に記載の印刷装置。
【請求項６】
課金装置を接続可能な印刷装置において、
印刷ジョブのリストを表示する表示手段と、
前記表示手段に表示されたリストから選択された印刷ジョブの印刷開始が指示されたことに基づいて、画像をシートに印刷する印刷手段と、
前記印刷装置に接続されている前記課金装置に課金を実行させる課金モードを有効にするか否かを設定する課金モード設定手段と、
前記課金モード設定手段により前記課金モードを有効にすることが設定されている場合、前記印刷手段によって実行される印刷処理に対する課金を前記課金装置に実行させる課金処理手段と、
前記印刷装置の操作モードとして、管理者操作モードを有効にするか否かを設定する操作モード設定手段と、
前記課金モード設定手段により前記課金モードが有効に設定されているか否かと、前記操作モード設定手段により前記管理者操作モードが有効に設定されているか否かに基づき、前記表示手段により表示された前記リストから印刷ジョブを削除することを許可するか禁止するかを制御する削除制御手段と、
を有することを特徴とする印刷装置。
【請求項７】
課金装置を接続可能な印刷装置の制御方法において、
印刷ジョブのリストを表示するステップと、
前記表示ステップにて表示されたリストから選択された印刷ジョブの印刷開始が指示されたことに基づいて、画像をシートに印刷するステップと、
前記印刷装置に接続されている前記課金装置に課金を実行させる課金モードが有効か否かを判断するステップと、
前記課金モードが有効と判断した場合、印刷処理に対する課金を前記課金装置により実行するステップと、
前記課金モードが有効であると判断され、かつ前記印刷装置に管理者操作モードが設定されている場合には、前記表示された前記リストから印刷ジョブを削除することを許可し、前記課金モードが有効であると判断され、かつ前記管理者操作モードが設定されていない場合は、前記表示された前記リストから印刷ジョブを削除するのを当該ユーザに対して禁止し、前記課金モードが有効でないと判断された場合には、表示された前記リストから印刷ジョブを削除することを許可するステップと、を有することを特徴とする制御方法。
【請求項８】
課金装置を接続可能な印刷装置の制御方法において、
印刷ジョブのリストを表示するステップと、
前記表示ステップにて表示されたリストから選択された印刷ジョブの印刷開始が指示されたことに基づいて、画像をシートに印刷するステップと、
前記印刷装置に接続されている前記課金装置に課金を実行させる課金モードが有効か否かを判断するステップと、
前記課金モードが有効と判断した場合、印刷処理に対する課金を前記課金装置により実行するステップと、
前記印刷装置の操作モードとして、管理者操作モードが有効か否かを判断するステップと、
前記課金モードが有効に設定されているか否かと、前記管理者操作モードが有効に設定されているか否かに基づき、前記表示された前記リストから印刷ジョブを削除することを許可するか禁止するかを制御するステップと、を有することを特徴とする制御方法。
【請求項９】
コンピュータに、請求項１ないし６のいずれか１項に記載の印刷装置の各手段として機能させるためのプログラム。
【手続補正２】
【補正対象書類名】明細書
【補正対象項目名】００１１
【補正方法】変更
【補正の内容】
【００１１】
上記目的を達成するために、本発明に係る印刷装置は、課金装置を接続可能な印刷装置において、印刷ジョブのリストを表示する表示手段と、前記表示手段に表示されたリストから選択された印刷ジョブの印刷開始が指示されたことに基づいて、画像をシートに印刷する印刷手段と、前記印刷装置に接続されている前記課金装置に課金を実行させる課金モードを有効にするか否かを設定する設定手段と、前記設定手段により前記課金モードを有効にすることが設定されている場合、前記印刷手段によって実行される印刷処理に対する課金を前記課金装置に実行させる課金処理手段と、前記設定手段により前記課金モードを有効にすることが設定されており、かつ操作中のユーザが管理者権限を持つユーザである場合には、前記表示手段により表示された前記リストから印刷ジョブを削除するのを当該ユーザに対して許可し、前記設定手段により前記課金モードを有効にすることが設定されており、かつ操作中のユーザが管理者権限を持たないユーザである場合は、前記表示手段により表示された前記リストから印刷ジョブを削除するのを当該ユーザに対して禁止し、前記設定手段により前記課金モードを有効にすることが設定されていない場合には、操作中のユーザが管理者権限を持たないユーザであっても、前記表示手段により表示された前記リストから印刷ジョブを削除するのを当該ユーザに対して許可する削除制御手段とを有することを特徴とする。
また、本発明に係る印刷装置は、印刷ジョブのリストを表示する表示手段と、前記表示手段に表示されたリストから選択された印刷ジョブの印刷開始が指示されたことに基づいて、画像をシートに印刷する印刷手段と、前記印刷装置に接続されている前記課金装置に課金を実行させる課金モードを有効にするか否かを設定する課金モード設定手段と、前記課金モード設定手段により前記課金モードを有効にすることが設定されている場合、前記印刷手段によって実行される印刷処理に対する課金を前記課金装置に実行させる課金処理手段と、前記印刷装置の操作モードとして、管理者操作モードを有効にするか否かを設定する操作モード設定手段と、前記課金モード設定手段により前記課金モードが有効に設定されているか否かと、前記操作モード設定手段により前記管理者操作モードが有効に設定されているか否かに基づき、前記表示手段により表示された前記リストから印刷ジョブを削除することを許可するか禁止するかを制御する削除制御手段とを有することを特徴とする。